(57)【要約】【課題】小型化が可能な同軸ケーブル用コネクタを提供する。【解決手段】同軸プラグ１０は、ハウジング１と円筒状のシェル２を備える。又、同軸プラグ１０は、中心コンタクト３、圧縮スリーブ４、及び、一組の誘電筒体５ａ・５ｂを備える。ハウジング１は、同軸ケーブルＣｂの端末を導入できる第１収容室１１を有する。シェル２は、ハウジング１の内部に配置され、外部導体Ｗｂと接続できる。中心コンタクト３は、シェル２の内部に配置され、中心導体Ｗｃと接続した結線部３１を有する。圧縮スリーブ４は、同軸ケーブルＣｂの端末に同軸プラグ１０を固定できる。一組の誘電筒体５ａ・５ｂは、シェル２の内部に収容され、中心コンタクト３を中心部に支持できる。シェル２は、一組の誘電筒体５ａ・５ｂを中心コンタクト３の軸方向に離隔して配置し、一組の誘電筒体５ａ・５ｂの間に空気層Ａｓを設けている。【選択図】図９
2018063893.tif 000002
【特許請求の範囲】
【請求項１】
中心導体、この中心導体を包囲する誘電体、この誘電体を覆う外部導体、及び、この外部導体を被覆する絶縁シースを有する同軸ケーブルの端末を結線した同軸ケーブル用コネクタであって、
前記同軸ケーブルの端末を導入自在に一方の面を開口した第１収容室を一端部側に有し、前記第１収容室と連通し、円筒状の相手側シェルを導入自在に他方の面を開口した第２収容室を他端部側に有する直方体状のハウジングと、
前記第１収容室から前記第２収容室に亘り、前記ハウジングの内部に配置され、前記誘電体を一端部側の内部に挿入する共に、一端部側の外部を前記外部導体で覆った第１接続部、及び、この第１接続部から連続し、前記相手側シェルと接続できる第２接続部を他端部側に有する円筒状のシェルと、
前記シェルの軸中心に沿って、当該シェルの内部に当該シェルと同軸に配置され、前記中心導体と結線自在な結線部を一端部側に有し、相手側中心コンタクトと接続自在なコンタクト接続部を他端部側に有する円筒状の中心コンタクトと、
前記シェルの一端部側を介して、前記外部導体に挿通し、前記誘電体に向かって前記シェルの一端部側を圧縮自在な円筒状の圧縮スリーブと、
前記シェルの内部に収容されると共に、前記中心コンタクトを中心部に支持する一組の円板状の誘電筒体と、を備え、
前記シェルは、一組の前記誘電筒体を前記中心コンタクトの軸方向に離隔して前記第２接続部に配置し、一組の前記誘電筒体の間に空気層を設けている、同軸ケーブル用コネクタ。
【請求項２】
前記中心コンタクトは、前記結線部を前記中心導体に接合している、請求項１記載の同軸ケーブル用コネクタ。
【請求項３】
前記ハウジングは、相手側同軸コネクタに係止自在なロックレバーを外壁に有している、請求項１又は２記載の同軸ケーブル用コネクタ。
【発明の詳細な説明】
【技術分野】
【０００１】
本発明は、同軸ケーブル用コネクタに関する。特に、同軸ケーブルの端末に固定した同軸ケーブル用コネクタであって、プリント基板に実装した相手側同軸コネクタに着脱できる同軸ケーブル用コネクタの構造に関する。
【背景技術】
【０００２】
例えば、同軸コネクタは、同軸ケーブルの端末に取り付けた同軸プラグと、プリント基板に実装したリセプタクルで構成している。同軸プラグをリセプタクルに接続することで、高周波信号を同軸ケーブルからプリント基板に伝送、又は、高周波信号をプリント基板から同軸ケーブルに伝送できる。
【０００３】
一般に、同軸ケーブルは、円形の中心導体、中心導体の周囲を囲うフッ素系樹脂などの誘電体、誘電体の周囲を囲う編組線などの外部導体、及び、外部導体を被覆保護する絶縁シースで構成している。
【０００４】
このような同軸ケーブルの端末に固定した同軸プラグは、一般に、中心導体と結線した中心コンタクト、一端部側を誘電体の上から外部導体をクランプし、他端部側を円筒状に形成したシェル、及び、中心コンタクトをシェルの他端部側の内部で同軸上に支持する円板状の誘電体で構成している。
【０００５】
ところで、シェルの一端部側と他端部側を繋ぐ部分は、外周方向に開口しているので、中心コンタクトの一部が露出している。つまり、この開口部分は、空気中に開放されているので、開口部分のインピーダンスと同軸ケーブルのインピーダンスに不整合が生ずる不具合があった。
【０００６】
このような不具合を解消するため、中心コンタクトの一部が露出するシェルの開放空間のインピーダンスを同軸ケーブルのインピーダンスに整合可能にし、これを簡易、かつ、ローコストにて実現できる同軸ケーブル用コネクタが開示されている（例えば、特許文献１参照）。
【先行技術文献】
【特許文献】
【０００７】
【特許文献１】特開２０１１−９１１１号公報
【発明の概要】
【発明が解決しようとする課題】
【０００８】
図１２は、従来技術による同軸ケーブル用コネクタの構成を示す斜視分解組立図であり、図１２（Ａ）は、同軸ケーブル付き誘電体をシェルに保持する前の状態図、図１２（Ｂ）は、同軸ケーブル付き誘電体をシェルに保持した状態図である。
【０００９】
図１３は、従来技術による同軸ケーブル用コネクタの構成を示す拡大縦断面図である。図１４は、従来技術による同軸ケーブル用コネクタに備わる誘電体の構成を示す図であり、図１４（Ａ）は、誘電体の斜視図、図１４（Ｂ）は、図１４（Ａ）のＸ−Ｘ矢視断面図である。
【００１０】
なお、本願の図１２と図１３は、特許文献１の図１と図３に相当している。又、本願の図１４は、特許文献１の図５に相当している。
【００１１】
図１２又は図１３を参照すると、従来技術による同軸ケーブル用コネクタ（以下、同軸プラグという）９は、同軸ケーブルＣｂの端末に固定している。同軸ケーブルＣｂは、単線又は撚線からなる円形の中心導体Ｗｃ、中心導体Ｗｃの周囲を囲うフッ素系樹脂などの誘電体Ｄｉ、誘電体Ｄｉの周囲を囲う編組線などの外部導体Ｗｂ、及び、外部導体Ｗｂを被覆保護する絶縁シースＷｉで構成している。
【００１２】
図１２から図１４を参照すると、同軸プラグ９は、円筒状の中心コンタクト９１と円筒状のシェル９２を備えている。又、同軸プラグ９は、円柱状の誘電体９３とインピーダンス整合用の導体リング９４を備えている。
【００１３】
図１２から図１４を参照すると、中心コンタクト９１は、クリンプバレル９１ａを基端部に備えている。クリンプバレル９１ａは、中心導体Ｗｃを圧着できる。クリンプバレル９１ａを中心導体Ｗｃに圧着することで、中心コンタクト９１と中心導体Ｗｃを機械的及び電気的に接続できる。
【００１４】
図１３又は図１４（Ｂ）を参照すると、中心コンタクト９１は、誘電体９３の中心部に開口した穴に圧入できる。これにより、中心コンタクト９１を誘電体９３に固定できる。中心コンタクト９１は、誘電体９３の先端部側に開口した収容穴９３ｈに臨んで配置されている（図１３参照）。収容穴９３ｈに相手側中心コンタクト（図示せず）を挿入すると、相手側中心コンタクト（図示せず）を中心コンタクト９１に接続できる。
【００１５】
図１２又は図１３を参照すると、シェル９２は、クリンプバレル９２１を基端部に有し、円筒状のコネクタ接続部９２２を基端部側に有している。クリンプバレル９２１とコネクタ接続部９２２は、一対の連結片９２ｊ・９２ｊで架橋されている。
【００１６】
図１２又は図１３を参照すると、クリンプバレル９２１は、コンダクタバレル９２ａとインシュレーショングリップ９２ｂを有している。コンダクタバレル９２ａは、誘電体Ｄｉから外部導体Ｗｂを圧着できる。そして、コンダクタバレル９２ａは、外部導体Ｗｂと機械的及び電気的に接続できる。
【００１７】
図１２又は図１３を参照すると、インシュレーショングリップ９２ｂは、絶縁シースＷｉを圧着できる。インシュレーショングリップ９２ｂを絶縁シースＷｉに圧着することで、同軸プラグ９を同軸ケーブルＣｂの端末に固定できる。
【００１８】
又、図１２又は図１３を参照すると、コネクタ接続部９２２は、インシュレーショングリップ９２ｃを有している。インシュレーショングリップ９２ｃは、誘電体９３を圧着できる。インシュレーショングリップ９２ｃを誘電体９３に圧着することで、誘電体９３をコネクタ接続部９２２に固定できる。
【００１９】
図１３を参照すると、導体リング９４は、誘電体９３の一方の端面から誘電体９３に埋設されている。導体リング９４は、中空筒状の導電部材からなる環状体である。導体リング９４は、誘電体９３を介して、中心コンタクト９１の回りを囲むように、中心コンタクト９１と同心上に配置されている。
【００２０】
図１３を参照すると、導体リング９４は、その一方の端面を中心コンタクト９１の一部が空中に露出するシェル９２の開放空間Ａｏに臨んで配置している。これにより、特許文献１による同軸プラグ９は、中心コンタクト９１の一部が露出するシェル９２の開放空間Ａｏのインピーダンスを同軸ケーブルＣｂのインピーダンスに整合できる、としている。
【００２１】
しかし、円筒状のシェル９２をクリンプバレル９２１とコネクタ接続部９２２に区分することなく、中心コンタクト９１を円筒状に囲うことで、シェル９２の開放空間Ａｏを無くすことができ、インピーダンス整合用の導体リング９４も不要になる。
【００２２】
特許文献１による同軸ケーブル用コネクタは、中心コンタクトの基端部から中間部に至るまで、空気より比誘電率の大きい誘電体で連続して覆われているので、小型のケーブル用コネクタで高周波の信号を伝送することが困難になる、という問題がある。
【００２３】
円筒状シェルで囲われた中心コンタクトの中間部の間に比誘電率の小さい空気層を円筒状シェルの内部に介在することで、円筒状シェルの外径を小さくすることができ、同軸ケーブル用コネクタの小型化も可能になる。そして、以上のことが本発明の課題といってよい。
【００２４】
本発明は、このような課題に鑑みてなされたものであり、円筒状のシェルで囲われた中心コンタクトに空気層を介在することで、小型化が可能な同軸ケーブル用コネクタを提供することを目的とする。
【課題を解決するための手段】
【００２５】
本発明者は、中心コンタクトを中心部に支持する一組の円板状の誘電筒体を筒状シェルの軸方向に離隔して配置することで、円筒状シェルで囲われた中心コンタクトに空気層を介在できると考え、これに基づいて、以下のような新たな同軸ケーブル用コネクタを発明するに至った。
【００２６】
（１）本発明による同軸ケーブル用コネクタは、中心導体、この中心導体を包囲する誘電体、この誘電体を覆う外部導体、及び、この外部導体を被覆する絶縁シースを有する同軸ケーブルの端末を結線した同軸ケーブル用コネクタであって、前記同軸ケーブルの端末を導入自在に一方の面を開口した第１収容室を一端部側に有し、前記第１収容室と連通し、円筒状の相手側シェルを導入自在に他方の面を開口した第２収容室を他端部側に有する直方体状のハウジングと、前記第１収容室から前記第２収容室に亘り、前記ハウジングの内部に配置され、前記誘電体を一端部側の内部に挿入する共に、一端部側の外部を前記外部導体で覆った第１接続部、及び、この第１接続部から連続し、前記相手側シェルと接続できる第２接続部を他端部側に有する円筒状のシェルと、前記シェルの軸中心に沿って、当該シェルの内部に当該シェルと同軸に配置され、前記中心導体と結線自在な結線部を一端部側に有し、相手側中心コンタクトと接続自在なコンタクト接続部を他端部側に有する円筒状の中心コンタクトと、前記シェルの一端部側を介して、前記外部導体に挿通し、前記誘電体に向かって前記シェルの一端部側を圧縮自在な円筒状の圧縮スリーブと、前記シェルの内部に収容されると共に、前記中心コンタクトを中心部に支持する一組の円板状の誘電筒体と、を備え、前記シェルは、一組の前記誘電筒体を前記中心コンタクトの軸方向に離隔して前記第２接続部に配置し、一組の前記誘電筒体の間に空気層を設けている。
【００２７】
（２）前記中心コンタクトは、前記結線部を前記中心導体に接合していることが好ましい。
【００２８】
（３）前記ハウジングは、相手側同軸コネクタに係止自在なロックレバーを外壁に有していることが好ましい。
【発明の効果】
【００２９】
本発明による同軸ケーブル用コネクタは、一組の誘電筒体を中心コンタクトの軸方向に離隔して配置し、一組の誘電筒体の間に空気層を設けた円筒状のシェルを備えているので、シェルの外径を小さくでき、同軸ケーブル用コネクタの小型化も可能になる。
【図面の簡単な説明】
【００３０】
【図１】本発明の一実施形態による同軸ケーブル用コネクタの構成を示す斜視図であり、図１（Ａ）は、同軸ケーブル用コネクタを前面側及び上面側から観た状態図、図１（Ｂ）は、同軸ケーブル用コネクタを背面側及び下面側から観た状態図である。
【図２】前記実施形態による同軸ケーブル用コネクタの構成を示す斜視分解組立図である。
【図３】前記実施形態による同軸ケーブル用コネクタの要部を拡大した斜視図であり、一部を断面図で示している。
【図４】前記実施形態による同軸ケーブル用コネクタに備わるハウジングの構成を示す斜視図であり、図４（Ａ）は、ハウジングを前面側及び上面側から観た状態図、図４（Ｂ）は、ハウジングを背面側及び上面側から観た状態図である。
【図５】前記実施形態による同軸ケーブル用コネクタに備わるハウジングの構成を示す図であり、図５（Ａ）は、ハウジングの平面図、図５（Ｂ）は、ハウジングの正面図、図５（Ｃ）は、ハウジングの右側面図、図５（Ｄ）は、ハウジングの左側面図、図５（Ｅ）は、ハウジングを背面図である。
【図６】前記実施形態による同軸ケーブル用コネクタに備わる中心コンタクトの構成を示す斜視図である。
【図７】前記実施形態による同軸ケーブル用コネクタに備わる中心コンタクトの構成を示す斜視図であり、中心コンタクトの一端部側を中心導体に結線した状態図である。
【図８】前記実施形態による同軸ケーブル用コネクタに備わる中心コンタクトの構成を示す斜視図であり、一組の誘電筒体を中心コンタクトに配置した状態図である。
【図９】前記実施形態による同軸ケーブル用コネクタの構成を示す縦断面図であり、図９（Ａ）は、相手側同軸コネクタに接続する前の状態図、図９（Ｂ）は、相手側同軸コネクタに接続した状態図である。
【図１０】前記実施形態による同軸ケーブル用コネクタの構成を示す斜視図であり、相手側同軸コネクタに接続した状態を縦断面で示している。
【図１１】前記実施形態による同軸ケーブル用コネクタの要部を拡大して示す斜視断面図である。
【図１２】従来技術による同軸ケーブル用コネクタの構成を示す斜視分解組立図であり、図１２（Ａ）は、同軸ケーブル付き誘電体をシェルに保持する前の状態図、図１２（Ｂ）は、同軸ケーブル付き誘電体をシェルに保持した状態図である。
【図１３】従来技術による同軸ケーブル用コネクタの構成を示す拡大縦断面図である。
【図１４】従来技術による同軸ケーブル用コネクタに備わる誘電体の構成を示す図であり、図１４（Ａ）は、誘電体の斜視図、図１４（Ｂ）は、図１４（Ａ）のＸ−Ｘ矢視断面図である。
【発明を実施するための形態】
【００３１】
以下、図面を参照して本発明を実施するための形態を説明する。
［同軸ケーブル用コネクタの構成］
最初に、本発明の一実施形態による同軸ケーブル用コネクタの構成を説明する。
【００３２】
図１は、本発明の一実施形態による同軸ケーブル用コネクタの構成を示す斜視図であり、図１（Ａ）は、同軸ケーブル用コネクタを前面側及び上面側から観た状態図、図１（Ｂ）は、同軸ケーブル用コネクタを背面側及び下面側から観た状態図である。
【００３３】
図２は、前記実施形態による同軸ケーブル用コネクタの構成を示す斜視分解組立図である。図３は、前記実施形態による同軸ケーブル用コネクタの要部を拡大した斜視図であり、一部を断面図で示している。
【００３４】
図４は、前記実施形態による同軸ケーブル用コネクタに備わるハウジングの構成を示す斜視図であり、図４（Ａ）は、ハウジングを前面側及び上面側から観た状態図、図４（Ｂ）は、ハウジングを背面側及び上面側から観た状態図である。
【００３５】
図５は、前記実施形態による同軸ケーブル用コネクタに備わるハウジングの構成を示す図であり、図５（Ａ）は、ハウジングの平面図、図５（Ｂ）は、ハウジングの正面図、図５（Ｃ）は、ハウジングの右側面図、図５（Ｄ）は、ハウジングの左側面図、図５（Ｅ）は、ハウジングを背面図である。
【００３６】
図６は、前記実施形態による同軸ケーブル用コネクタに備わる中心コンタクトの構成を示す斜視図である。図７は、前記実施形態による同軸ケーブル用コネクタに備わる中心コンタクトの構成を示す斜視図であり、中心コンタクトの一端部側を中心導体に結線した状態図である。
【００３７】
図８は、前記実施形態による同軸ケーブル用コネクタに備わる中心コンタクトの構成を示す斜視図であり、一組の誘電筒体を中心コンタクトに配置した状態図である。
【００３８】
図９は、前記実施形態による同軸ケーブル用コネクタの構成を示す縦断面図であり、図９（Ａ）は、相手側同軸コネクタに接続する前の状態図、図９（Ｂ）は、相手側同軸コネクタに接続した状態図である。
【００３９】
図１０は、前記実施形態による同軸ケーブル用コネクタの構成を示す斜視図であり、相手側同軸コネクタに接続した状態を縦断面で示している。図１１は、前記実施形態による同軸ケーブル用コネクタの構成を示す斜視図であり、相手側同軸コネクタに接続した状態を縦断面で示している。
【００４０】
なお、従来技術で用いた符号と同じ符号を付した構成品は、その作用を同じとするので、以下説明を省略する場合がある。
【００４１】
（全体構成）
図１から図１１を参照すると、本発明の一実施形態による同軸ケーブル用コネクタ（以下、同軸プラグという）１０は、同軸ケーブルＣｂの端末に結線できる。同軸ケーブルＣｂは、中心導体Ｗｃ、中心導体Ｗｃを包囲する誘電体Ｄｉ、誘電体Ｄｉを覆う外部導体Ｗｂ、及び、外部導体Ｗｂを被覆する絶縁シースＷｉを有している。
【００４２】
図１から図１１を参照すると、同軸プラグ１０は、直方体状のハウジング１と金属製の円筒状のシェル２を備えている。又、同軸プラグ１０は、円筒状の中心コンタクト３、円筒状の圧縮スリーブ４、及び、一組の円板状の誘電筒体５ａ・５ｂを備えている。
【００４３】
図１又は図４及び図５を参照すると、ハウジング１は、第１収容室１１を一端部側に有している。第１収容室１１は、ハウジング１の一方の面を円形に開口している。そして、第１収容室１１には、絶縁シースＷｉを除く同軸ケーブルＣｂの端末を導入できる（図９参照）。
【００４４】
図１又は図４及び図５を参照すると、ハウジング１は、第２収容室１２を他端部側に有している。第２収容室１２は、第１収容室１１と連通している。第１収容室１１は、ハウジング１の一方の面を円形に開口している。そして、第２収容室１２には、円筒状の相手側のシェル７２を導入できる（図９参照）。
【００４５】
図１又は図４及び図９（Ａ）を参照すると、シェル２は、第１収容室１１から第２収容室１２に亘り、ハウジング１の内部に配置されている。シェル２は、第１接続部２１と第２接続部２２で構成している（図２参照）。シェル２は、外径の大きい第１接続部２１から外径の小さい第２接続部２２が連続している。
【００４６】
図９（Ａ）又は図１０を参照すると、第１接続部２１は、誘電体Ｄｉを一端部側の内部に挿入している。又、第１接続部２１は、その一端部側の外部を外部導体Ｗｂで覆っている。一方、第２接続部２２は、その他端部側を相手側のシェル７２と接続できる。
【００４７】
図６又は図９及び図１０を参照すると、中心コンタクト３は、シェル２の内部に配置されている。中心コンタクト３は、シェル２の軸中心に沿って、シェル２と同軸に配置されている。
【００４８】
図６又は図９及び図１０を参照すると、中心コンタクト３は、結線部３１を一端部側に有している。結線部３１は、例えば、中心導体Ｗｃをレーザーでハンダ接合することもでき、必要に応じて形状を変え圧着や圧接により接続してもよい。一方、中心コンタクト３は、コンタクト接続部３２を他端部側に有している。コンタクト接続部３２は、相手側の中心コンタクト７３のコンタクト端子７３１と接続できる（図９（Ａ）参照）。
【００４９】
図７又は図９及び図１０を参照すると、圧縮スリーブ４は、シェル２の一端部側を介して、外部導体Ｗｂに挿通し、誘電体Ｄｉに向かってシェル２の一端部側を圧縮できる。これにより、シェル２と外部導体Ｗｂを電気的に確実に接続できると共に、同軸ケーブルＣｂの端末に同軸プラグ１０を固定できる（図１参照）。
【００５０】
図９及び図１０を参照すると、一組の誘電筒体５ａ・５ｂは、シェル２の内部に収容されている。一組の誘電筒体５ａ・５ｂは、中心コンタクト３を中心部に支持できる（図８参照）。実施の形態では、中心コンタクト３は、一組の誘電筒体５ａ・５ｂに挿通できる。
【００５１】
図９（Ｂ）又は図１０を参照すると、シェル２は、一組の誘電筒体５ａ・５ｂを中心コンタクト３の軸方向に離隔して配置している。そして、シェル２は、一組の誘電筒体５ａ・５ｂの間に空気層Ａｓを設けている。
【００５２】
実施形態による同軸プラグ１０は、一組の誘電筒体５ａ・５ｂを中心コンタクト３の軸方向に離隔して配置し、一組の誘電筒体５ａ・５ｂの間に空気層Ａｓを設けた円筒状のシェル２を備えているので、シェル２の外径を小さくでき、同軸プラグ１０の小型化も可能になる。
【００５３】
（ハウジングの構成）
次に、実施形態によるハウジング１の構成を説明する。図１又は図２及び図４又は図５を参照すると、ハウジング１は、絶縁体からなることが好ましく、絶縁性を有する合成樹脂を成形して、直方状のハウジング１を得ることができる。
【００５４】
図４又は図９を参照すると、ハウジング１は、第１収容室１１と第２収容室１２を隔てる隔壁１１ｗを有している。隔壁１１ｗには、圧入穴１１ｈを開口している（図５（Ｂ）又は図５（Ｅ）参照）。
【００５５】
図５（Ｂ）又は図５（Ｅ）を参照すると、圧入穴１２ｈには、第１収容室１１から第２収容室１２に向かって、シェル２の第２接続部２２を圧入できる（図９（Ａ）参照）。これにより、シェル２をハウジング１の内部に固定できる。
【００５６】
図１又は図４を参照すると、ハウジング１は、一対の方形の溝１１ｄ・１１ｄを上部に形成している。一対の溝１１ｄ・１１ｄは、相手側の同軸コネクタ７０を構成するハウジング７１の収容室７１ｒに設けた突条（図示せず）に嵌合して案内できる（図９（Ａ）参照）。又、一対の溝１１ｄ・１１ｄは、同軸プラグ１０の誤挿入を防止するキー溝として機能している。
【００５７】
図１又は図２及び図４を参照すると、ハウジング１は、ロックレバー２１ｒを外壁に有している。ロックレバー２１ｒは、係止突起１１１を先端部側に設けている。一方、図９（Ｂ）を参照すると、相手側の同軸コネクタ７０は、ラッチ溝７１１を収容室７１ｒの内壁に穿設している。同軸プラグ１０を収容室７１ｒに挿入すると、ラッチ溝７１１に係止突起１１１が嵌合して、相手側の同軸コネクタ７０に同軸プラグ１０を係止できる（図９（Ｂ）参照）。
【００５８】
（シェル及び中心コンタクトの構成）
次に、実施形態によるシェル２及び中心コンタクト３の構成を説明する。図２又は図３を参照すると、シェル２は、導電性を有する金属管からなることが好ましく、導電性を有する金属管を成形して、円筒状のシェル２を得ることができる。
【００５９】
図６から図８を参照すると、中心コンタクト３は、導電性を有する金属板からなることが好ましく、導電性を有する金属の展開板を成形して、結線部３１を一端部に有する中心コンタクト３を得ることができる。中心コンタクト３は、銅合金からなることが好ましいが、銅合金に限定されない。
【００６０】
（同軸ケーブル用コネクタの組立方法）
次に、実施形態による同軸プラグ１０と同軸ケーブルＣｂの組立手順を説明する。図２又は図９を参照して、最初に、同軸ケーブルＣｂの各構成品の端末を所定の剥離長さで剥離又は切断して、同軸ケーブルＣｂを端末処理する。
【００６１】
次に、図７又は図１１を参照して、中心コンタクト３の結線部３１を中心導体Ｗｃにレーザーでハンダ接合する。次に、図９を参照して、中心コンタクト３をシェル２の内部に挿通し、シェル２の第１接続部２１を誘電体Ｄｉと外部導体ｗｂの間に挿通しておく。
【００６２】
次に、図９を参照して、圧縮スリーブ４をシェル２に導入し、誘電体Ｄｉに向かってシェル２の一端部側を圧縮することで、同軸ケーブルＣｂの端末にシェル２を固定できる。なお、一組の誘電筒体５ａ・５ｂは、シェル２の第２接続部２２の内部に予め保持されている。次に、図９を参照して、シェル２をハウジング１の内部に圧入することで、組立作業を完了する。
【００６３】
（相手側同軸コネクタの構成）
次に、実施形態による相手側の同軸コネクタ７０の構成を説明する。図９又は図１０を参照すると、同軸コネクタ７０は、プリント基板９ｐの一方の面９１ｐに実装でき、同軸プラグ１０を着脱自在に接続できる。
【００６４】
図９又は図１０を参照すると、同軸コネクタ７０は、直方体状のハウジング７１と金属製の円筒状の７シェル２を備えている。又、同軸コネクタ７０は、棒状の中心コンタクト７３と一組の円板状の誘電体７４ａ・７４ｂを備えている。
【００６５】
図９又は図１０を参照すると、ハウジング７１は、収容室７１ｒを一端部側に有している。収容室７１ｒは、ハウジング７１の一方の面を矩形に開口している。そして、収容室７１ｒには、同軸プラグ１０を導入できる。
【００６６】
図９又は図１０を参照すると、シェル７２は、プリント基板９ｐの一方の面９１ｐと略平行に、ハウジング１の他端部側に突出している。シェル７２の他端部は、シェル２の第２接続部２２と接続できる。又、シェル７２は、その軸方向に湾曲して、プリント基板９ｐの一方の面９１ｐに電気的に接続している。
【００６７】
図９又は図１０を参照すると、中心コンタクト７３は、シェル７２の内部に配置されている。中心コンタクト７３は、シェル７２の軸中心に沿って、シェル７２と同軸に配置されている。中心コンタクト７３のコンタクト端子７３１は、中心コンタクト３と接続できる。中心コンタクト７３の先端部は、プリント基板９ｐの一方の面９１ｐに電気的に接続している。
【００６８】
図９（Ａ）に示した状態から、同軸プラグ１０を同軸コネクタ７０に接続すると（図９（Ｂ）参照）、同軸ケーブルＣｂとプリント基板９ｐを電気的に接続できる。
【００６９】
［同軸ケーブル用コネクタの作用］
次に、実施形態による同軸プラグ１０の作用及び効果を説明する。図１から図１１を参照すると、同軸プラグ１０は、一組の誘電筒体５ａ・５ｂを中心コンタクト３の軸方向に離隔して配置し、一組の誘電筒体５ａ・５ｂの間に空気層Ａｓを設けた円筒状のシェル２を備えているので、シェル２の外径を小さくでき、同軸プラグ１０の小型化も可能になる。
【００７０】
又、図１０は図１１を参照すると、実施形態による同軸プラグ１０は、中心コンタクト３の外径を調整することで、同軸ケーブルＣｂのインピーダンスと同軸プラグ１０の伝送路のインピーダンスをマッチングできる。
【符号の説明】
【００７１】
１  ハウジング
２  シェル
３  中心コンタクト
４  圧縮スリーブ
５ａ・５ｂ  一組の誘電筒体
１０  同軸コネクタ（同軸ケーブル用コネクタ）
１１  第１収容室
１２  第２収容室
２１  第１接続部
２２  第２接続部
３１  結線部
３２  コンタクト接続部
７２  相手側のシェル
７３  相手側の中心コンタクト
Ａｓ  空気層
Ｃｂ  同軸ケーブル
Ｄｉ  誘電体
Ｗｃ  中心導体
Ｗｂ  外部導体
Ｗｉ  絶縁シース
【図１】
2018063893.tif 000003
【図２】
2018063893.tif 000004
【図３】
2018063893.tif 000005
【図４】
2018063893.tif 000006
【図５】
2018063893.tif 000007
【図６】
2018063893.tif 000008
【図７】
2018063893.tif 000009
【図８】
2018063893.tif 000010
【図９】
2018063893.tif 000011
【図１０】
2018063893.tif 000012
【図１１】
2018063893.tif 000013
【図１２】
2018063893.tif 000014
【図１３】
2018063893.tif 000015
【図１４】
2018063893.tif 000016